(57)【要約】【課題】容易に取り付けが可能な後付け用ポケット部材を提供すること。【解決手段】少なくとも、表側部材２と裏側部材３とを有し、物品の出し入れをするための、少なくとも１箇所の開口部１１が設けられた袋状体からなるポケットであり、裏側部材３の裏面には、アイロンなどで加熱されることにより接着が可能となる感熱接着剤層３１が設けられた後付け用ポケット部材を提供する。これにより、アイロンさえあれば、簡単に身の回り品への取り付けが可能であり、従来のように、いちいち縫い付けをする手間が不要である。また、手先の器用でない者であっても、簡単に作業ができる。【選択図】          図１
0003108949.tif 000002
【実用新案登録請求の範囲】
【請求項１】
少なくとも、表側部材（２）と裏側部材（３）とを有し、
物品の出し入れをするための、少なくとも１箇所の開口部（１１）が設けられた袋状体からなるポケットであり、
裏側部材（３）の裏面には、アイロンなどで加熱されることにより接着が可能となる感熱接着剤層（３１）が設けられたことを特徴とする、後付け用ポケット部材。
【請求項２】
表側部材（２）がジーンズ生地からなることを特徴とする、請求項１に記載の後付け用ポケット部材。
【請求項３】
表側部材（２）と裏側部材（３）とが縫合され、上端に開口部（１１）が形成されたものであり、
上記の縫合によって、少なくとも表側部材（２）の周囲にステッチ（２１）が形成されたものであり、
表側部材（２）と同一の材料からなる蓋部材（４）が、裏側部材（３）に取り付けられており、
上記の蓋部材（４）と裏側部材（３）との縫合は、上記の開口部（１１）の上方においてなされたものであり、
この蓋部材（４）は、表側部材（２）の一部を覆うことにより、開口部（１１）を閉じることができるものであり、
表側部材（２）と蓋部材（４）とには、ホック、スナップ、面ファスナー、ボタン及びボタンホール、から選択された一つの係止部材（６）が設けられたことにより、表側部材（２）と蓋部材（４）とが係止可能とされたことを特徴とする、請求項１または２に記載の後付け用ポケット部材。
【考案の詳細な説明】
【技術分野】
【０００１】
本願考案は、衣服やバッグなどの身の回り品に取り付けることのできる後付け用ポケット部材に関するものである。
【背景技術】
【０００２】
衣服やバッグなどに当初から設けられているポケット以外に、小物などを収納するために、ポケットが必要となる場合がある。その際、布などの別の部材を縫い付けることによりポケットを作っていた。
【考案の開示】
【考案が解決しようとする課題】
【０００３】
しかし、この縫い付けは手間がかかるものであった。しかも、手先の器用でない者は、仕上がりが美しくならないことを恐れ、手軽にポケットを作る作業ができないものであった。
【０００４】
本願考案は上記のことに鑑み、容易に取り付けが可能な後付け用ポケット部材を提供することを課題とする。
【課題を解決するための手段】
【０００５】
上記課題を解決するために、本願第１の考案は、少なくとも、表側部材２と裏側部材３とを有し、物品の出し入れをするための、少なくとも１箇所の開口部１１が設けられた袋状体からなるポケットであり、裏側部材３の裏面には、アイロンなどで加熱されることにより接着が可能となる感熱接着剤層３１が設けられたことを特徴とする、後付け用ポケット部材を提供する。
【０００６】
また、本願第２の考案は、表側部材２がジーンズ生地からなることを特徴とする、請求項１に記載の後付け用ポケット部材を提供する。
【０００７】
また、本願第３の考案は、表側部材２と裏側部材３とが縫合され、上端に開口部１１が形成されたものであり、上記の縫合によって、少なくとも表側部材２の周囲にステッチ２１が形成されたものであり、表側部材２と同一の材料からなる蓋部材４が、裏側部材３に取り付けられており、上記の蓋部材４と裏側部材３との縫合は、上記の開口部１１の上方においてなされたものであり、この蓋部材４は、表側部材２の一部を覆うことにより、開口部１１を閉じることができるものであり、表側部材２と蓋部材４とには、ホック、スナップ、面ファスナー、ボタン及びボタンホール、から選択された一つの係止部材６が設けられたことにより、表側部材２と蓋部材４とが係止可能とされたことを特徴とする、請求項１または２に記載の後付け用ポケット部材を提供する。
【考案の効果】
【０００８】
本願の請求項１及び２に記載された考案は、裏側部材３の裏面に、アイロンなどで加熱されることにより接着が可能となる感熱接着剤層３１が設けられたことにより、容易に取り付けが可能な後付け用ポケット部材を提供できたものである。
【０００９】
また、本願の請求項３に記載された考案は、係止部材６が設けられたことで、表側部材２と蓋部材４とが係止可能とされたことにより、蓋部材４が表側部材２の一部を覆った状態を保持することができ、物品が開口部１１から飛び出ることを防止できる後付け用ポケット部材を提供できたものである。
【考案を実施するための最良の形態】
【００１０】
以下、図面に基づき本願考案の実施の形態の一例をとりあげて説明する。図１は、本願考案に係る後付け用ポケット部材の実施例１を示し、図２は、本願考案に係る後付け用ポケット部材の実施例２を示す。
なお、下記の説明における表裏の表現は、図１（Ｂ）や図２（Ｂ）に示された側を表、図１（Ｃ）や図２（Ｃ）に示された側を裏とする。
【実施例１】
【００１１】
まず、実施例１について説明する。
本願考案に係る後付け用ポケット部材１は、図１（Ａ）に示すように、物品の出し入れをするための、少なくとも１箇所の開口部１１が設けられた袋状体からなる、独立したポケットとして形成されたものである。この袋状体は、表側部材２と裏側部材３とが組み合わされて形成されている。
本実施例においては、図１の各図に示すように、表側部材２と裏側部材３とが同形とされ、開口部１１は後付け用ポケット部材１の上方に１箇所だけ設けられているが、これに限られるものではない。例えば、表側部材２と裏側部材３とを異なる大きさや形状としても良い。例えば、裏側部材３を表側部材２よりも大きなものとしておき、裏側部材３の表面に記載された模様が、表側部材２の周囲に見えるようにし、装飾効果を上げても良い。また、１枚の裏側部材３に対して複数の表側部材２を取り付け、後付け用ポケット部材１の１つにつき、ポケットを複数設けたものとしても良い。また、１つのポケットに開口部１１を複数設けても良い。また、ポケットの内部に仕切りを形成しておき、複数の物品を別個に収納可能なものとしても良い。
【００１２】
本実施例における、表側部材２にはジーンズ生地が用いられており、裏側部材３には木綿生地が用いられている。これら各部材２，３として用いられる生地は、特に限定されるものではなく、各部材２，３を同一の生地からなるものとしても良い。また、表側部材２と裏側部材３とは、切り離された別個の部材とする必要はなく、例えば、１枚の布地を折り返し、縫合することによって袋状体としても良い。
各部材２，３としては、織布、不織布、網状体、皮革など、種々の材料が利用できる。また、表側部材２に透明部材を備えた窓部を形成しておき、後付けポケット部材１の内部に収納された物品が外部から見ることができるようにしても良い。
【００１３】
表側部材２と裏側部材３の周囲は縫合されて一体とされている。各部材２，３の上辺についてはこの縫合がなされておらず、この部分が開口部１１とされる。この開口部１１は、表側部材２と裏側部材３との間に形成された空間に物品を出し入れする際に物品が通過する。
なお、表側部材２と裏側部材３とは、上記の縫合によるもの以外に、熱溶着によるものなど、種々の手段によって一体とされたものとして良い。また、本実施例においては、表側部材２と裏側部材３とが直接縫合されたものであるが、表側部材２と裏側部材３との間に襠部材を設け、物品を収納できる空間が広くなるようにしても良い。
【００１４】
そして、図１（Ａ）（Ｂ）に示すように、表側部材２の表面にはステッチ２１が施されている。図示したものでは、表側部材２の各辺に沿う直線状のステッチ２１ａと、表側部材２の中央に交差するように形成された、円弧状のステッチ２１ｂとされているが、これに限られるものではなく、実施例２のように直線状としたり（図２参照）、曲線や幾何学模様を組み合わせたものなど、種々の形状で実施できる。
また、本実施例における表側部材２には、ステッチ２１以外に、鋲２２やタグ２３が取り付けられており、ジーンズ生地からなるズボンやジャケットに設けられるポケットを模したものとされている。
ステッチ２１や鋲２２など、表側部材２に設けられた装飾は、上記のものに限られるものではない。例えば、模様や色彩を表側部材２の表面にプリントするなど、様々な装飾を付して良い。
【００１５】
また、本実施例における開口部１１は、図１（Ａ）に示したように常に開放されたものとされているが、これに限らず、チャックやボタンを備えたものとすることにより、閉鎖が可能なものとしても良い。また、後述する実施例２のように、開口部１１を覆うことのできる蓋部材４を設けたものとしても良い。
【００１６】
一方、裏側部材３の裏面には、身の回り品の表面に対し、アイロンなどで加熱されることにより接着が可能となる感熱接着剤層３１が裏側部材３の全体を覆うようにして設けられている。本実施例における感熱接着剤層３１としてはポリオレフィン系樹脂が用いられているが、他の樹脂など、種々の材料を用いて良い。このように裏側部材３に感熱接着剤層３１が設けられたことにより、アイロンさえあれば、簡単に身の回り品への取り付けが可能であり、従来のように、いちいち縫い付けをする手間が不要である。また、手先の器用でない者であっても、簡単に作業ができる。
また、本実施例では、感熱接着剤層３１が裏側部材３の裏面全体に設けられたものであるため、強力な接着力を発揮でき、小物を収納した際でも、小物の重量によって容易に脱落することのないものとできる。
【００１７】
上記のように形成された後付けポケット部材１を、衣服やバッグなどの身の回り品の表面に接着することで、身の回り品に当初から設けられているポケット以外に、小物などを収納する空間を容易に増設することができる。
なお、この後付けポケット部材１を、内部に物品を収納するためのものとしては用いず、アップリケなどの、装飾効果のみを発揮させるために使用しても良い。
【実施例２】
【００１８】
次に、実施例２について、図２を参照しつつ説明する。ここで、上記の実施例１と同一の機能を有する部分については、図中に同一の符号を付して説明を省略する。
【００１９】
この実施例２に係る後付けポケット部材１においては、表側部材２と同一の材料からなる蓋部材４が、裏側部材３に縫合により取り付けられている。この蓋部材４と裏側部材３との縫合は、開口部１１の上方における折り返し辺１ａにおいてなされたものであって、これにより、図２（Ｂ）に示すように、蓋部材４が表側部材２の上側の一部を覆うことにより、開口部１１を閉じることができる。
なお、上記の「取り付け」とは、元から一体であることも意味として含むものであり、表側部材２と裏側部材３とが同一の材料とされた場合にあっては、裏側部材３を表側部材２よりも上下寸法を大きく形成しておき、折り返し辺１ａにおいて裏側部材３を表側に折り返し、この表側に折り返された部分を蓋部材４としても良い。
【００２０】
表側部材２と蓋部材４とには、ホック、スナップ、面ファスナー、ボタン及びボタンホール、から選択された一つの係止部材６が設けられたことにより、表側部材２と蓋部材４とが係止可能とされている。本実施例においては、蓋部材４の表面に対し、蓋部材４よりも面積の小さい係止片５が取り付けられている。この係止片５は、一部が蓋部材４に重ね合わされたものであり、蓋部材４の図２（Ｂ）に示した下辺４ａよりも下方に突出するものである。そして、係止片５の先端の裏面には、係止部材６であるスナップの凸側部材６ａが、図２（Ａ）に示すように取り付けられている。また、表側部材２における、上記のように係止片５に設けられたスナップの凸側部材６ａに対向する部分には、スナップの凹側部材６ｂが取り付けられている。本実施例では、係止片５に対するスナップ６の各部材の取り付けは縫合によりなされている。
【００２１】
このように、スナップ６が係止片５及び表側部材２に取り付けられたことにより、蓋部材４が表側部材２の一部を覆った状態を保持することができ、物品が開口部１１から飛び出ることを防止できる。なお、本実施例においては、上記係止片５の表面に飾りボタンが取り付けられおり、係止片５にはステッチ２１が設けられているが、その他種々の装飾を施しても良い。
また、上記のように係止片５を設けず、表側部材２と蓋部材４とに直接スナップ６を取り付けたものとしても良い。
【図面の簡単な説明】
【００２２】
【図１】後付け用ポケット部材の実施例１を示す図であり、（Ａ）は斜視図、（Ｂ）は表側部材側を示す正面図、（Ｃ）は裏側部材側を示す背面図である。
【図２】後付け用ポケット部材の実施例２を示す図であり、（Ａ）は開口部を開いた状態を示す斜視図、（Ｂ）は開口部を閉じた状態を示す斜視図、（Ｃ）は裏側部材側を示す背面図である。
【符号の説明】
【００２３】
１      後付け用ポケット部材
１１    開口部
２      表側部材
２１    ステッチ
３      裏側部材
３１    感熱接着剤層
４      蓋部材
６      係止部材
【図１】
0003108949.tif 000003
【図２】
0003108949.tif 000004